(57)【特許請求の範囲】
【請求項１】
一端に第１開口を有し、他端に第２開口を有し、内部に折り畳み状態の解放対象の膜チューブが設置されている管状のハウジングを備える腸管隔離用膜チューブの解放装置であって、
前記第１開口に設置されるとともに前記膜チューブの一端に接続され、人体の腸管により消化して吸収可能な材料又は水溶性材料で製造された解放体と、
順次重ねて設けられ且つ互いに相対移動可能なインナーチューブ、ミドルチューブ及びアウターチューブを含み、前記インナーチューブが部分的に前記ハウジング内に位置し前記解放体に接続され、前記ミドルチューブの一端が前記第２開口から前記ハウジング内に延び、前記ミドルチューブの一端外に前記ハウジング内に位置して前記膜チューブをプッシュするストッパーピストンが固定して重ねて設けられ、前記アウターチューブが前記ハウジング外に位置し且つその一端が前記第２開口に固定して接続されるプッシュユニットとをさらに備え、
前記解放体は、
主体部及び前記主体部から延設している膜チューブ接続部を有し、前記膜チューブ接続部が前記膜チューブの一端に固定して接続されるコアと、
前記主体部外に被覆され、前記第１開口に接続されるシェルとを含み、
前記インナーチューブ及び前記ミドルチューブを両方が軸方向に移動するように操作して、前記解放体を前記ハウジングから脱離させ、前記膜チューブを前記ハウジングから脱出させ、人体の腸管の所定位置で解放することを特徴とする腸管隔離用膜チューブの解放装置。
【請求項２】
前記インナーチューブの一端が順次前記コアの膜チューブ接続部、主体部及び前記シェルを貫通することを特徴とする請求項１に記載の腸管隔離用膜チューブの解放装置。
【請求項３】
前記インナーチューブの前記コアを貫通する部分の外部にダンピングチューブが重ねて設けられることを特徴とする請求項２に記載の腸管隔離用膜チューブの解放装置。
【請求項４】
前記コアの主体部及び前記シェルの前記膜チューブの解放方向へ向かっている表面がいずれも滑らかな表面であることを特徴とする請求項１に記載の腸管隔離用膜チューブの解放装置。
【請求項５】
前記主体部の外輪郭が球状又は半球状を呈し、前記シェルの外輪郭が前記主体部の外輪郭に合わせた形状を呈しかつ前記主体部外に被覆されていることを特徴とする請求項１に記載の腸管隔離用膜チューブの解放装置。
【請求項６】
前記主体部の外輪郭が半球状を呈し、前記膜チューブ接続部が前記主体部の平面部分に接続され、前記シェルが半球状を呈しかつ前記主体部の球面部分外に被覆され、半球状の前記シェルの端面の外縁に環状段差が形成されており、前記環状段差が前記ハウジングの第２開口に当接されることを特徴とする請求項１に記載の腸管隔離用膜チューブの解放装置。
【請求項７】
前記コアと前記シェルが物理的に接続されることを特徴とする請求項１−６のいずれか１項に記載の腸管隔離用膜チューブの解放装置。
【請求項８】
前記膜チューブの他端に、弾性記憶合金で編まれてなりメッシュ管状の輪郭を有するブラケットが固定して接続されることを特徴とする請求項１に記載の腸管隔離用膜チューブの解放装置。
【請求項９】
前記ミドルチューブは前記アウターチューブの他端から延出する第１延出端を有し、前記第１延出端に第１ハンドルが接続され、前記第１ハンドルに外界と前記ミドルチューブの内部を連通させるルアーコネクタが設置され、前記インナーチューブは前記第１延出端から延出する第２延出端を有し、前記第２延出端に第２ハンドルが接続されることを特徴とする請求項１に記載の腸管隔離用膜チューブの解放装置。
【発明の詳細な説明】
【技術分野】
【０００１】
本発明は、医療機器の技術分野に関し、特に腸管隔離用膜チューブの解放装置に関する。
【背景技術】
【０００２】
糖尿病は、近年重視化されている疾患であり、現代の文明社会における生活水準の継続的な向上に由来する現代文明病であり、生活水準が高まるに伴い、飲食の品質が高まり栄養が過剰になるとともに活動量が減少することによって引き起こされる非感染性の流行病であり、具体的には、高血糖を特徴とする代謝性疾患であることが知られている。インスリン分泌の欠陥またはその生物学的機能障害、あるいはその両方によって引き起こされる。糖尿病は様々な組織、特に眼、腎臓、心臓、血管、神経の慢性的な損傷や機能障害を引き起こす可能性がある。糖尿病は通常肥満や多くの合併症を伴い、人々の健康に大きな脅威をもたらす。データによれば、中国だけで、糖尿病の発症率は２０歳以上の成人で９．７％であり、発症人口は約１億５０００万人である。肥満および糖尿病を改善する一般的な方法として、食事の管理、運動の増加、および補助としての特定の薬物治療があるが、患者の長期的な遵守を必要とする上に、食事の管理および運動が中止されると、再発および体重リバウンドが発生しやすく、薬物またはインスリンの長期使用も患者にとって大きな経済的負担および不便さとなることが知られている。
【０００３】
別の治療法として、２型糖尿病の根治及び肥満の改善に対して非常に優れた効果がある胃バイパス手術があり、２００１年に、国際糖尿病連合は、肥満合併２型糖尿病の治療法として正式に代謝手術（胃バイパス手術を含む）を推奨したが、外科的処置としての胃バイパス手術は、人体に創傷を引き起こすため、死亡、腸閉塞、吻合部漏出、肺塞栓症、深部静脈血栓症、門脈血栓症、呼吸器系故障などの様々なリスクを有する。
【０００４】
現在、国外では胃腸管にバイパスデバイスなどの構造体を埋め込むことによって糖尿病を治療することがあるが、このようなバイパスデバイスの構造は複雑であり、通常、その機能を実現するために複数のワイヤーを同時に操作する必要があり、操作前に専門家の指導が必要であり、経験が不十分であると、誤操作により患者の不快感を増やし、操作しにくくなり、また製造コストが高く、且つ技術的なバリアが高まり、このため、中国国内で普及させにくく、したがって、実施時に患者へ大きな不快感を与えない糖尿病を治療する方法を提供する、または構造が単純で、操作しやすく、低コストである糖尿病を治療するためのデバイスを提供することは差し迫った課題となっている。
【発明の概要】
【発明が解決しようとする課題】
【０００５】
上記問題を解決するために、本発明は、胃カメラによりガイドされて、ワイヤーにより、人体の口腔から腸管の胃幽門に近い十二指腸及び／又は胃幽門の上部に入れて、該部分の腸管の内壁を胃腸における食物と隔離することで、人体のインスリン分泌を改善して、糖尿病を効果的に治療するとともに、人体へ創傷を引き起こすことがない腸管隔離用膜チューブの解放装置を提供する。
【課題を解決するための手段】
【０００６】
上記目的を達成させるために、本発明は下記技術案を採用する。
【０００７】
一端に第１開口を有し、他端に第２開口を有し、内部に折り畳み状態の解放対象の膜チューブが設置されている管状のハウジングを備える腸管隔離用膜チューブの解放装置であって、さらに、
前記第１開口に設置されるとともに前記膜チューブの一端に接続され、人体の腸管により消化して吸収可能な材料又は水溶性材料で製造される解放体と、
順次套設され且つ互いに相対移動可能なインナーチューブ、ミドルチューブ及びアウターチューブを含み、前記インナーチューブが部分的に前記ハウジング内に位置し前記解放体に接続され、前記ミドルチューブの一端が前記第２開口から前記ハウジング内に延び、前記ミドルチューブの一端外に前記ハウジング内に位置して前記膜チューブをプッシュするストッパーピストンが固定して套設され、前記アウターチューブが前記ハウジング外に位置し且つその一端が前記第２開口に固定して接続されるプッシュユニットとをさらに備え、
前記インナーチューブ及び前記ミドルチューブを両方が軸方向に移動するように操作して、前記解放体を前記ハウジングから脱離させ、前記膜チューブを前記ハウジングから脱出させ、人体の腸管の所定位置で解放する。
【０００８】
好ましくは、前記解放体は、
主体部及び前記主体部から延設している膜チューブ接続部を有し、前記膜チューブ接続部が前記膜チューブの一端に固定して接続されるコアと、
前記主体部外に被覆され、前記第１開口に接続されるシェルとを含む。
【０００９】
好ましくは、前記インナーチューブの一端が順次前記コアの膜チューブ接続部、主体部及び前記シェルを貫通する。
【００１０】
好ましくは、前記インナーチューブの前記コアを貫通する部分の外部にダンピングチューブが套設される。
【００１１】
好ましくは、前記コアの主体部及び前記シェルの前記膜チューブの解放方向へ向かっている表面がいずれも滑らかな表面である。
【００１２】
好ましくは、前記主体部の外輪郭が球状又は半球状を呈し、前記シェルの外輪郭が前記主体部の外輪郭に合わせた形状を呈しかつ前記主体部外に被覆されている。
【００１３】
好ましくは、前記主体部の外輪郭が半球状を呈し、前記膜チューブ接続部が前記主体部の平面部分に接続され、前記シェルが半球状を呈しかつ前記主体部の球面部分外に被覆され、半球状の前記シェルの端面の外縁に環状段差が形成されており、前記環状段差が前記ハウジングの第２開口に当接される。
【００１４】
好ましくは、前記コアと前記シェルが物理的に接続される。
【００１５】
好ましくは、前記膜チューブの他端に、弾性記憶合金で編まれてなりメッシュ管状の輪郭を有するブラケットが固定して接続される。
【００１６】
好ましくは、前記ミドルチューブは、前記アウターチューブの他端から延出する第１延出端を有し、前記第１延出端に第１ハンドルが接続され、前記第１ハンドルに外界と前記ミドルチューブの内部を連通させるルアーコネクタが設置され、前記インナーチューブは前記第１延出端から延出する第２延出端を有し、前記第２延出端に第２ハンドルが接続される。
【発明の効果】
【００１７】
従来技術に比べて、本発明による腸管隔離用膜チューブの解放装置は、構造がシンプルで、部品点数が少なく、製造コストが低く、人体に埋め込まれたときに人体の腸管に創傷を引き起こすことがなく、手術のリスクが小さく、そして患者の苦しみを低減させて、術後の回復が早く、安全性が高く、簡単なプッシュ操作だけで手術を完了することができるので、類似した製品のようにワイヤーを必要とするのではなく、簡単なトレーニングを受けるだけで上手に操作でき、誤錯誤や失敗の可能性が極めて低い。本発明による腸管隔離用膜チューブの解放装置は、ソフトカテーテルの伸展や胃腸運動の観察を補助するために使用することができ、インプラント解放体は植え込まれた後に徐々に崩壊し、消化液で分解した後に一部が人体により吸収され、硫酸バリウムが腸管を介して体外へ排出され、このため、人体へダメージを与えることはないため、安全に使用できる。本発明による腸管隔離用膜チューブの解放装置を人体に留置することによって、２型糖尿病を完全に逆転させ肥満などの症状を改善することができ、食事を管理する必要がなく患者の生活の質が改善される。
【図面の簡単な説明】
【００１８】
【図１】本発明の実施例の構造断面図である。
【図２】本発明の実施例の全体構造模式図である。
【図３】本発明の実施例の一例の構造の解放体の断面図である。
【図４】本発明の実施例の別の構造の解放体の断面図である。
【符号の説明】
【００１９】
１−ハウジング、１１−第１開口、１２−ストッパーピストン、１３−第２開口、１４−ナット、２−解放体、２２−コア、２２１−膜チューブ接続部、２２２−主体部、２３−シェル、２３１−環状段差、３１−膜チューブ、３２−ブラケット、４１−インナーチューブ、４１１−ダンピングチューブ、４１２−第２延出端、４２−ミドルチューブ、４２１−第１延出端、４３−アウターチューブ、４４−第１ハンドル、４５−ルアーコネクタ、４６−第２ハンドル。
【発明を実施するための形態】
【００２０】
本発明の上記目的、特徴及び利点をより明瞭で理解しやすくするために、以下、図面を参照しながら本発明の具体的な実施形態を詳細に説明する。
【００２１】
以下の説明において、本発明を十分に理解するために大量の詳細を説明するが、本発明は、ここでの説明と異なるほかの形態によって実施してもよく、当業者であれば、本発明の主旨を逸脱することなく類似した拡張を行うことができ、このため、本発明は以下に開示される具体的な実施例により制限されない。
【００２２】
次に、模式図にて本発明について詳細に説明し、本発明の実施例を詳細に説明するときに、説明の便宜上、装置の構造を示す断面図は一般的な比率と異なる比率に従って部分的に拡大され、且つ前記模式図は例示的なものに過ぎず、本発明の保護範囲を制限するものではない。また、実際に製造するときに長さ、幅及び深さを有する三次元空間サイズが含まれる。
【００２３】
図１、図２に示されるように、本発明の実施例は、ハウジング、解放体及びプッシュユニットを備える腸管隔離用膜チューブの解放装置を提供し、前記ハウジング１は、管状を呈し、一端に第１開口１１を有し、他端に第２開口１３を有し、内部に折り畳み状態の解放対象の膜チューブ３１が設置されており、前記解放体２は、前記第１開口１１に設置されるとともに前記膜チューブ３１の一端に接続され、人体の腸管により消化して吸収可能な材料又は水溶性材料で製造される。前記プッシュユニットは、順次套設され且つ互いに相対移動可能なインナーチューブ４１、ミドルチューブ４２及びアウターチューブ４３を含み、前記インナーチューブ４１が部分的に前記ハウジング１内に位置し前記解放体２に接続され、前記ミドルチューブ４２の一端が前記第２開口１３から前記ハウジング１内に延び、且つ前記ミドルチューブ４２の該端に前記ハウジング１内に位置するストッパーピストン１２が固定して設置され、本実施例では、ストッパーピストン１２はミドルチューブ４２の一端外に套設される。前記アウターチューブ４３は前記ハウジング１外に位置し且つその一端が前記第２開口１３に固定して接続される。前記インナーチューブ４１はその軸方向に沿って操作者へ移動して前記解放体２を前記ハウジング１から脱離させ、インナーチューブ４１とミドルチューブ４２は前記膜チューブ３１をハウジング内から脱出して展開させて人体の腸管の所定位置で解放するように連動する。前記インナーチューブ４１は、移動することで前記解放体２を移動させ、それによって前記膜チューブ３１を引いて次第に展開させ、前記ミドルチューブ４２はその軸方向に沿って移動するとともに前記ストッパーピストン１２を連動して前記膜チューブ３１をプッシュさせ（即ち、膜チューブ３１の解放体２に接続されていない一端をプッシュ）、前記膜チューブ３１をハウジング１から押し出す。
【００２４】
さらに、図２に示されるように、前記ハウジング１の第２開口１３外にボスが凸設され、前記ボスにナット１４が螺合され、前記アウターチューブ４３は前記ナット１４と前記ハウジング１の前記第２開口１３を貫通して固定して接続され、具体的には、前記アウターチューブ４３と前記第２開口１３の固定接続方式は粘着、熱収縮又はほかの方式であってもよい。
【００２５】
本実施例では、前記ハウジング１、プッシュユニットの各部分はポリウレタン、ポリエチレン、フッ素重合体のうちの１種又は複数種の複合材料を用いて製造でき、優れた支持性、プッシュ性、及び良好な靭性を有し、表面が滑らかであり、内視鏡下又は人体の自然体腔でうまくプッシュすることができ、折れにくく、且つハンドリング性が良好である。
【００２６】
具体的には、本実施例の腸管隔離用膜チューブの解放装置を使用するときに、前記インナーチューブ４１にワイヤーを挿入し、操作者が装置全体を人体の口部から挿入し、次にワイヤーを介して胃カメラと協働して腸管隔離用膜チューブの解放装置のハウジング１を人体内の胃幽門に近い十二指腸及び／又は胃幽門の上部までガイドし、その中でも、ワイヤーは、プッシュユニットに対してガイド及び支持の役割を果たし、インナーチューブ４１の人体の食道や胃腸管における移動を支援し、それにより、腸管隔離用膜チューブの解放装置のハウジング１及び膜チューブ３１が所定位置に送達されるようにガイドする。その後、プッシュユニットにおけるミドルチューブ４２及びインナーチューブ４１を操作してハウジング１における膜チューブ３１を解放して人体の腸管に入れ、同時に、インナーチューブ４１を操作して解放体２を引いて運動させ、このように折り畳み状態の膜チューブ３１を展開させ、そして、人体の腸管により消化して吸収可能な材料で製造された解放体２は人体の腸管に入ってから、消化管液又は水と接触すると、短時間内で溶解又は分解し、最後に人体の腸管により消化して吸収され、このように膜チューブ３１の解放過程が終了し、人体の腸管内壁に薄膜状の導流管路が形成されて、栄養素の腸管での吸収を阻止及び緩和させて、消化酵素の分泌を調整し、それによって血糖、血中脂質の調整及び体重管理の役割を果たして、糖尿病の発症を防止する。前記解放体２は、人体の生物安全性に合致し、人体により消化され又は体内で分解することができ、且つ人体に対して毒性や副作用がない材料で製造され、たとえば、食用ゲル化剤、大豆タンパク質粉末、澱粉、多糖化合物、グリセリン、アミロース又はアミロペクチンなどの１種又は複数種の化合物から構成される。処方するときに１種又は複数種の化合物を加え、さらに水、脂溶性物質などを加えて、対応した金型において硬化させて、硬い固体構造を形成する。また、前記解放体２は人体内で溶解できるが完全に吸収されず、全部が正常に体外へ排出される材料で製造されてもよく、人体に対して毒性や副作用がない。
【００２７】
好ましくは、図３−図４に示されるように、前記解放体２は、コア２２、シェル２３を含み、前記コア２２は主体部２２２及び前記主体部２２２から延設している膜チューブ接続部２２１を含み、前記膜チューブ接続部２２１が前記膜チューブ３１の一端に固定して接続され、前記シェル２３が前記主体部２２２外に被覆され、前記シェル２３が前記第１開口１１に接続され且つ力を受けると破断しやすい。
【００２８】
好ましくは、図３、図４に示されるように、前記コア２２の主体部２２２及び前記シェル２３の前記膜チューブ３１の解放方向に向かっている表面はいずれも滑らかな表面であり、このような構造では、解放体２は人体の腸管で容易に移動できる。
【００２９】
具体的には、図３、図４に示されるように、前記主体部２２２の外輪郭は略球状又は半球状を呈し、前記シェル２３の外輪郭は前記主体部２２２の外輪郭に合わせた形状を呈しかつ前記主体部２２２外に被覆されている。本実施例では、前記主体部２２２の外輪郭は略半球状を呈し、前記シェル２３の外輪郭は略半球状を呈し、当然、前記主体部２２２と前記シェル２３の形状は外形が球体又は半球体に近い形状としてもよい。
【００３０】
好ましくは、図３、図４に示されるように、前記主体部２２２の外輪郭は半球状を呈し、前記膜チューブ接続部２２１は前記主体部２２２の平面部分に接続され、前記シェル２３は半球状を呈しかつ前記主体部２２２の球面部分外に被覆され、半球状のシェル２３の端面の外縁に環状段差２３１が形成されており、前記環状段差２３１は前記ハウジング１の第２開口１３に当接される。
【００３１】
具体的には、図３、図４に示されるように、上記実施例では、前記コア２２と前記シェル２３の接続方式は物理的接続であり、たとえば、図示した螺合又は係合であってもよく、具体的には、図３に螺合したコア２２とシェル２３が示されており、コア２２及びシェル２３はいずれも輪郭が略球状の部位及び輪郭が円柱状の部位を含み、互いに噛み合うネジが前記コア２２及びシェル２３の輪郭円柱状の部位に設置され、図４に係合したコア２２とシェル２３が示されており、コア２２の外表面とシェル２３の内壁に互いに係合可能なバックル構造が設置されており、なお、前記コア２２と前記シェル２３の接続方式は螺合又は係合に制限されず、テーパー嵌合又はほかの接続方式も利用可能であり、たとえば、シェル２３とコア２２はテーパーの形で嵌合する。ほかの類似した構造については詳細な説明を省略する。
【００３２】
好ましくは、図２に示されるように、前記インナーチューブ４１の一端が順次前記コア２２の膜チューブ接続部２２１、主体部２２２及び前記シェル２３を貫通して、前記第１開口１１から延出している。内視鏡がインナーチューブ４１の延出端で人体の腸管を検査する。本実施例では、前記インナーチューブ４１と前記コア２２の膜チューブ接続部２２１、主体部２２２及び前記シェル２３とは打込みばめ又は締まり嵌めされることにより、インナーチューブ４１は前記解放体２を連動して膜チューブ３１の解放方向へ移動させるとともに膜チューブ３１を引いて展開させ前記ハウジング１から延出させ、当然、前記膜チューブ接続部２２１、主体部２２２及び前記シェル２３と前記インナーチューブ４１とは様々な方式で接続できる。
【００３３】
好ましくは、図２に示されるように、前記インナーチューブ４１の前記コア２２を貫通した部分外にダンピングチューブ４１１が套設されており、本実施例では、前記ダンピングチューブ４１１によって前記インナーチューブ４１と前記コア２２が打込みばめされ、前記ダンピングチューブ４１１は前記解放体２と前記インナーチューブ４１の間の滑り摩擦力を増やして、前記インナーチューブ４１にて前記解放体２を牽引して移動させる能力を高める。
【００３４】
本実施例では、前記ダンピングチューブ４１１はポリウレタン、シリカゲル、ＴＰＥなどのうちの１種又は複数種の弾性材料で製造されることができ、その表面に物理又は化学処理を施すことで摩擦力を高め、それによって、膜チューブ３１の解放前に、ダンピングチューブ４１１により解放体２とインナーチューブ４１とを相対静止状態に維持する。
【００３５】
好ましくは、図２に示されるように、前記膜チューブ３１の他端に、弾性記憶合金で編まれてなりメッシュ管状の輪郭を有するブラケット３２が固定して接続され、具体的には、ブラケット３２はニッケルチタン合金、ステンレス鋼又はほかの弾性金属、又は条件を満たすほかの形状記憶合金で製造されることができ、材料は生体適合性の要件を満たすので、人体に長期間植え込むことに適しており、前記ブラケット３２は、菱形、六角形又はハニカム形状などの構造として規則的に配列され、人体の十二指腸球部に配置され、所定の弾性を有して、腸管の蠕動に応じて変形できるとともに、所定の支持力を有し、十二指腸球部に固定することができる。
【００３６】
具体的には、ミドルチューブ４２を操作するとき、ミドルチューブ４２はストッパーピストン１２を連動して運動させることでブラケット３２を膜チューブ３１とともにハウジング１から外へ押し、このときに内視鏡でハウジング１におけるブラケット３２を観察し、ブラケット３２の最先端がハウジング１から離れようとするとき、ミドルチューブ４２の操作を停止すべきである。この際、ブラケット３２がハウジング１を離れるときに人体の十二指腸球部に固定されるように、腸管隔離用膜チューブの解放装置のハウジング１の位置を調整する必要があり、ブラケットは所定の弾性を有するので、腸管の蠕動に応じて変形できるとともに、所定の支持力を有し、十二指腸球部に固定できる。
【００３７】
具体的には、上記実施例では、ミドルチューブ４２、インナーチューブ４１を操作して移動させるための構造として、具体的には、前記ミドルチューブ４２は前記アウターチューブ４３の他端から延出している第１延出端４２１を有し、前記第１延出端４２１に第１ハンドル４４が接続され、前記第１ハンドル４４には外界と前記ミドルチューブ４２の内部とを連通させるルアーコネクタ４５が設置され、前記インナーチューブ４１は前記第１延出端４２１から延出している第２延出端４１２を有し、前記第２延出端４１２に第２ハンドル４６が接続されている。
【００３８】
具体的には、ミドルチューブ４２、インナーチューブ４１を操作して移動させることで膜チューブ３１を解放する過程に、ルアーコネクタ４５に一定量の水又は生理食塩水を注入してもよく、水又は生理食塩水はミドルチューブ４２とインナーチューブ４１との間の隙間を介して膜チューブ３１の内部に入り、膜チューブ３１の十二指腸での解放を促進するとともに、解放体２の溶解又は分解を促進する。具体的には、膜チューブ３１を解放するときに、前記膜チューブ３１及び解放体２は約１−１０分間かけて人体の腸管の蠕動に応じて、十二指腸から空腸の方向へ蠕動する。この過程において、生理食塩水がインナーチューブ４１とミドルチューブ４２との間の隙間を介して膜チューブ３１へ流れ、それによっても、膜チューブ３１と解放体２の空腸方向への蠕動を促進し、さらに膜チューブ３１の解放を促進する。前記膜チューブ３１は現像材料、たとえば硫酸バリウム、炭酸ビスマス又はタングステンなどを含み、Ｘ線下で現像することができ、前記解放体２も現像材料を含んでもよく、Ｘ線下で解放体２の位置を正確に示し、操作者による操作に利便性を与える。
本発明の腸管隔離用膜チューブの解放装置は以下のように操作でき、まず、操作者は、操作者に近い方向へインナーチューブ４１を引いてハウジング１の第２開口１３でシェル２３を押し当てるときに、シェル２３の環状段差２３１が破断して解放体２をハウジング１から脱離させ、次に、前記インナーチューブ４１を操作して前記解放体２を操作者から離れる方向（即ち患者の体内）へ移動させ、それによって膜チューブ３１の一端がハウジング１から伸びて前記膜チューブ３１を連動して、膜チューブ３１を展開させ、このときに、さらに前記ミドルチューブ４２を操作してストッパーピストン１２を連動して運動させ、ストッパーピストン１２がハウジング１内の膜チューブ３１の他端に位置するブラケット３２を押して、このように膜チューブ３１全体をハウジング１から押し出す。ここで、膜チューブ３１が完全に展開し、且つストッパーピストン１２がブラケット３２を押してハウジング１の第１開口１１の位置まで移動させると（膜チューブ３１は完全に解放されようとする）、ブラケット３２も人体腸管において所定の解放位置（具体的には人体の胃部の胃幽門に近い十二指腸及び／又は胃幽門の上部の適切な位置）に送達されることが必要であり、このとき、操作者から離れた方向へ第２ハンドル４６を押して、ブラケット３２を完全に前記ハウジング１から脱出させて、ブラケット３２を人体の十二指腸球部に固定する。ブラケットが所定の弾性を有するので、腸管の蠕動に応じて変形できるとともに、所定の支持力を有し、十二指腸球部に固定でき、展開状態の膜チューブ３１は人体の消化道内で１−１２カ月配置することができ、病状の改善又は実際の状況に応じて調整できる。
【００３９】
本実施例で利用可能な別の操作方式として、ミドルチューブ４２とインナーチューブ４１を同時に操作して、ストッパーピストン１２でハウジング１内に位置する膜チューブ３１の一端を押して膜チューブ３１をハウジング１から押し出すと同時に、前記インナーチューブ４１が移動して解放体２を連動して移動させ、解放体２が膜チューブ３１の他端におけるブラケット３２を引いて、膜チューブ３１を展開させるとともにハウジング１から延出し、最終的に人体の腸管の所定解放位置で膜チューブ３１全体をハウジング１から押し出す。
【００４０】
上記実施例では、前記膜チューブ３１はポリウレタン、ポリエチレン、フッ素重合体、シリカゲルのうちの１種又は複数種の複合材料であってもよく、このような材料は、柔軟性に優れており、一定の弾性を有し、表面がなめらかで、食物の滓が内膜壁に滞留することがなく、生体適合性の要件を満たし、長期間植え込んでも人体に対するアレルギーのような有害反応を引き起こさない。
以上の実施例は本発明の実施例の例示に過ぎず、本発明を制限するものではなく、本発明の保護範囲は特許請求の範囲により限定される。当業者であれば、本発明の主旨及び保護範囲内で本発明について各種の修正又は同等置換を行うことができ、このような修正又は同等置換は本発明の保護範囲に属するとみなすべきである。
【図１】
0006840270.tif 000002
【図２】
0006840270.tif 000003
【図３】
0006840270.tif 000004
【図４】
0006840270.tif 000005